【手続補正書】
【提出日】平成19年5月15日(2007.5.15)
【手続補正１】
【補正対象書類名】明細書
【補正対象項目名】発明の名称
【補正方法】変更
【補正の内容】
【発明の名称】立体形状成形品の製造法
【手続補正２】
【補正対象書類名】明細書
【補正対象項目名】請求項１
【補正方法】変更
【補正の内容】
【請求項１】
熱可塑性ポリマー支持体、その上に配置された中間層およびこの中間層に施された熱硬化層を含む積層複合材料から形成された立体形状成形品を製造する方法において、中間層およびこの中間層に塗布された熱硬化層を成形システム中で熱処理によって支持体に接着させ、ならびに、この接着された支持体に成形システムにおける熱処理前または熱処理の間に立体形状を付与することを特徴とする、立体形状成形品の製造法。
【手続補正３】
【補正対象書類名】明細書
【補正対象項目名】０００１
【補正方法】変更
【補正の内容】
【０００１】
【発明の属する技術分野】本発明は、熱可塑性ポリマー支持体、その上に配置された中間層およびこの中間層に塗布された熱硬化層からなる積層複合材料から立体形状成形品を製造する方法に関する。
【手続補正４】
【補正対象書類名】明細書
【補正対象項目名】０００６
【補正方法】変更
【補正の内容】
【０００６】
ドイツ特許出願公開第１９７２２３３９号公報には、ポリプロピレンから形成された支持体層、その上に配置された装飾層およびこの装飾層に塗布された熱硬化層を有する積層複合材料が開示されている。更に、早期の出願のドイツ特許出願公開第１９８５８１７３号公報には、それぞれ種々の他の熱可塑性ポリマー、例えば一定のスチレンコポリマーまたはポリオキシメチレン、またはポリブチレンテレフタレートの支持体層、ならびにそれに塗布された装飾層およびこの装飾層上に施こされている熱硬化層から形成された積層複合材料が記載されている。木材、木材繊維または紙から形成された支持体層を有する常用の積層複合材料と比較した場合に、熱可塑性ポリマーから形成された支持体層を有するこのタイプの積層複合材料の特徴の例は、次の通りである：高い耐熱性および耐湿潤性、良好な機械的強度および簡単な加工。しかし、個々のポリマー層における剛性および脆性の程度は、ドイツ特許出願公開第１９７２２３３９号公報およびドイツ特許出願公開第１９８５８１７３号公報の記載から公知の積層複合材料が、殊に立体形状成形品の製造の際に自動車分野、家庭用品分野または電気的分野のために構成成分を生じさせる加工および造形、殊に立体的造形の点でなお或る程度の欠点を有していることを意味する。立体的造形のためには、成形品の可撓性が高くかつ加工性が簡単であることが重要である。
【手続補正５】
【補正対象書類名】明細書
【補正対象項目名】０００７
【補正方法】変更
【補正の内容】
【０００７】
【発明が解決しようとする課題】
本発明の目的は、記載された欠点を克服し、積層複合材料から立体形状成形品を製造し、実施が簡単であり、任意の望ましいデザインを有する成形品を生じさせ、かつ常用の成形システム中で安価な方法で資源を過剰に使用することなく実施することができる１つの方法を開発することである。また、もう１つの目的は、新規方法が化学的、機械的または熱的に誘発される損傷に敏感でなくかつ高い耐引掻性および圧縮強さを有する立体形状成形品の製造を可能にすることである。
【手続補正６】
【補正対象書類名】明細書
【補正対象項目名】０００８
【補正方法】変更
【補正の内容】
【０００８】
【課題を解決するための手段】
この目的は、積層複合材料から立体形状成形品を製造する新規方法を開発することによって達成されることが見い出された。本明細書中で、積層複合材料は、熱可塑性ポリマー支持体、その上に配置された中間層およびこの中間層に塗布された熱硬化層を有し、この方法は、中間層およびこの中間層に塗布された熱硬化層を成形システム中で熱処理によって支持体に接着させ、ならびに、この接着された支持体に成形システム中で熱処理前または熱処理の間に立体形状を付与することからなる。
【手続補正７】
【補正対象書類名】明細書
【補正対象項目名】００４７
【補正方法】変更
【補正の内容】
【００４７】
新規方法にとって、中間層、必要に応じての装飾層および熱硬化層が成形システム中での熱処理によって支持体に接着され、成形システム中で熱処理前または熱処理の間に立体形状をも付与することは、重要である。この方法において、中間層、熱硬化層ならびに必要に応じての装飾層は、個々のシートとして別々にかまたは直ちに使用できる貼合せシートの形で一緒に成形システム中に導入することができる。成形システム中での熱処理は、１５０〜３００℃、殊に１６０〜２６０℃、特に好ましくは１６０〜２６０℃で行なわれる。こうして新規方法を使用することにより、立体形状成形品を製造することができる。
【手続補正８】
【補正対象書類名】明細書
【補正対象項目名】００５２
【補正方法】変更
【補正の内容】
【００５２】
射出成形において、個々の層、即ち中間層、必要に応じての装飾層および熱硬化層（または直ちに使用できる貼合せシートの形で一緒になった装飾層と熱硬化層の２つ）は、熱成形処理により予め立体形状を付与され、次に支持体を形成する熱可塑性ポリマーで射出成形用金型内で被覆されるか、或いは射出成形用金型内でそのまま１回だけ同時に立体形状を付与され、熱可塑性ポリマーで金型内で被覆される。これは、片面または両面で行なうことができ、後者の場合には、支持体の両面上に中間層および熱硬化層ならびに必要に応じての装飾層が配置されている。支持体の熱可塑性ポリマーは、まず少なくとも１５０℃、殊に少なくとも１８０℃に加熱され、次に少なくとも２０Ｎ／ｃｍ2、好ましくは少なくとも３０Ｎ／ｃｍ2の圧力下で射出成形用金型内に装入される。射出成形法は、通常、１５０〜３００℃、殊に１８０〜２８０℃で２０〜２００Ｎ／ｃｍ2、殊に５０〜１００Ｎ／ｃｍ2の圧力で行なわれる。射出成形用金型内で現れる温度および圧力は、熱可塑性支持体への中間層および必要に応じての装飾層の極めて良好な接着と、積層複合材料の後硬化の双方を達成し、この場合、この積層複合材料は、立体形状成形品である。更に、少なくとも１０Ｎ／ｃｍ2、殊に少なくとも５０Ｎ／ｃｍ2の保持圧力を維持しながら、金型は、０．１〜５分間、殊に０．３〜１．２分間２０℃またはそれ以上、殊に３０℃またはそれ以上に冷却され、次に生じた立体形状成形品は、トリミング後に射出成形用金型から取り出される。
【手続補正９】
【補正対象書類名】明細書
【補正対象項目名】００５４
【補正方法】変更
【補正の内容】
【００５４】
押出法において、中間層、熱硬化層ならびに必要に応じての装飾層は、個々の被膜の形または組み合わされて直ちに使用できる貼合せシートの形であることができ、まず熱成形法または異形成形押出法により立体形状が付与され、次に異形成形システム中で少なくとも１８０℃、好ましくは少なくとも２００℃に加熱され、さらに少なくとも８０Ｎ／ｃｍ2、好ましくは少なくとも９０Ｎ／ｃｍ2の圧力でスロットダイ中に導入されることができる。また、中間層、熱硬化層ならびに必要に応じての装飾層は、温度制御されたカレンダーロールまたはエンボスロールにより支持体の熱可塑性ポリマーの片面または両面に供給され（貼合せとして公知の方法）、こうして互いに接着されることができる。新規方法において、個々の層には、成形システム内、即ちカレンダーロールまたはエンボスロールで立体形状が付与されてもよい。本明細書中では、通常、１００〜２５０℃、殊に１５０〜２１０℃の温度および２０〜２００Ｎ／ｃｍ2、殊に３０〜１２０Ｎ／ｃｍ2の圧力が選択される。本明細書中で平均滞留時間は、０．１〜１０分間、殊に０．２〜５分間である。個々の層の相互の極めて良好な付着力は、こうして達成される。また、生じた立体形状成形品は、良好な表面特性を有している。更に、カレンダーロールまたはエンボスロールによって適用される圧力は、少なくとも５０Ｎ／ｃｍ2、殊に少なくとも７０Ｎ／ｃｍ2に維持され、他方、成形システムは、少なくとも０．２分間、殊に少なくとも２．０分間２０℃またはそれ以上、好ましくは３０℃またはそれ以上に冷却され、生じた立体形状成形品は、トリミング後に取り出される。
【手続補正１０】
【補正対象書類名】明細書
【補正対象項目名】００５８
【補正方法】変更
【補正の内容】
【００５８】
こうして得られた立体形状成形品は、着色表面を有していてもよい。
【手続補正１１】
【補正対象書類名】明細書
【補正対象項目名】００５９
【補正方法】変更
【補正の内容】
【００５９】
新規方法は、例えば個々の構成成分、即ち中間層、熱硬化層、必要に応じての装飾層および支持体が互いに卓越した付着力を有する立体形状成形品を製造するために使用されてよい。新規方法は、技術的機知を殆んど必要とせず、成形品に任意の望ましい立体形状を付与し、従来の成形システムにおける資源の過剰の使用なしに実施されることができる。生じた立体形状成形品は、化学的、機械的および熱的に誘発される損傷、例えば水蒸気、化学薬品または煙草の熱から生じる損傷に対して耐性である。
【手続補正１２】
【補正対象書類名】明細書
【補正対象項目名】００６０
【補正方法】変更
【補正の内容】
【００６０】
新規方法は、特殊な耐薬品性、機械抵抗および耐熱性を有する装飾的表面を有するべき立体形状成形品を製造するための特に好適である。
【手続補正１３】
【補正対象書類名】明細書
【補正対象項目名】００６１
【補正方法】変更
【補正の内容】
【００６１】
新規方法は、殊に家具、床材、壁パネルまたは家庭用品に使用されるかまたは電気工業、建築工業または自動車工業において使用される立体形状成形品を製造するために使用される。